(57)【要約】      （修正有）【課題】煩雑な操作なしで最適な画面が表示される、使い勝手のよい表示装置を提供する。【解決手段】表示装置は、画像を表示する表示部と、表示部を鑑賞する鑑賞者の情報に基づき、第１の表示態様から第２の表示態様に、表示部に表示された表示態様を変更する変更部と、を備える。第１の表示態様は、第１の複数の区画と第１の複数の画像とからなる表示態様であり、第２の表示態様は、第２の複数の区画と第２の複数の画像とから成る表示態様であり、第２の複数の区画は、第１の複数の区画とは少なくとも１つの区画が異なる複数の区画であり、第２の複数の画像の少なくとも１つの画像の内容は、第１の複数の画像の内容とは異なる。【選択図】図８
2017102618.tif 000002
【特許請求の範囲】
【請求項１】
画像を表示する表示部と、
前記表示部を鑑賞する鑑賞者の情報に基づき、第１の表示態様から第２の表示態様に、前記表示部に表示された表示態様を変更する変更部と、
を備え、
前記第１の表示態様は、第１の複数の区画と第１の複数の画像とからなる表示態様であり、
前記第２の表示態様は、第２の複数の区画と第２の複数の画像とから成る表示態様であり、
前記第２の複数の区画は、前記第１の複数の区画とは少なくとも１つの区画が異なる複数の区画であり、
前記第２の複数の画像の少なくとも１つの画像の内容は、前記第１の複数の画像の内容とは異なる表示装置。
【請求項２】
請求項１に記載の表示装置において、
前記鑑賞者の情報とは、各個人で異なるパーソナルな情報である表示装置。
【請求項３】
請求項１または２に記載の表示装置において、
前記鑑賞者の情報とは、前記鑑賞者の環境に伴う情報である表示装置。
【請求項４】
請求項１〜３のいずれか一項に記載の表示装置において、
前記複数の区画とは、前記複数の区画の個数、形状、位置、およびサイズの少なくとも１つである表示装置。
【請求項５】
請求項１〜４のいずれか一項に記載の表示装置において、
前記画像の内容とは、画像の被写体、構図、または画像処理の少なくとも１つである表示装置。
【請求項６】
請求項２に記載の表示装置において、
前記パーソナルな情報とは、前記鑑賞者の少なくとも鑑賞当日のスケジュールに関する情報である表示装置。
【請求項７】
請求項６に記載の表示装置において、
前記変更部は、前記スケジュールが所定程度以上に過密である場合には、前記スケジュールが前記所定程度以上に過密でない場合よりも前記複数の区画の個数を増やす表示装置。
【請求項８】
請求項２に記載の表示装置において、
前記パーソナルな情報とは、前記表示態様に対する前記鑑賞者の嗜好を示す情報である表示装置。
【請求項９】
請求項２に記載の表示装置において、
前記パーソナルな情報とは、前記鑑賞者の視力に関する情報である表示装置。
【請求項１０】
請求項９に記載の表示装置において、
前記表示部は、前記視力が所定度数以上である場合には、前記視力が所定度数以上でない場合よりも前記複数の区画の個数を増やす表示装置。
【請求項１１】
請求項９または１０に記載の表示装置において、
前記鑑賞者の顔の少なくとも一部を撮影した結果に基づき、前記視力に関する情報を検出する検出部を更に備える表示装置。
【請求項１２】
請求項２〜１１のいずれか一項に記載の表示装置において、
前記変更部は、前記鑑賞者の情報に加えて、前記表示部の表示画面のサイズおよび解像度の少なくとも一方に基づき、前記表示態様を変更する表示装置。
【請求項１３】
請求項２〜１２のいずれか一項に記載の表示装置において、
前記複数の画像は、前記鑑賞者に関連する関連画像と、前記鑑賞者に関連しない非関連画像とを含み、
前記変更部は、前記鑑賞者により鑑賞される際には、前記鑑賞者に関連する関連画像に基づく画像を表示した前記複数の区画を設ける表示装置。
【請求項１４】
請求項１３に記載の表示装置において、
前記変更部は、前記鑑賞者により鑑賞される際には、前記複数の画像のうちの前記関連画像を前記複数の区画に表示し、前記異なる鑑賞者により鑑賞される際には、前記複数の画像のうちの前記非関連画像を前記複数の区画に変更する表示装置。
【請求項１５】
請求項２〜１４のいずれか一項に記載の表示装置において、
前記複数の画像は、複数の動画を含み、
前記表示部は、前記複数の区画のうち少なくとも１つの区画に前記複数の動画を割り当て、前記１つの区画において時分割的に前記複数の動画を再生する表示装置。
【請求項１６】
請求項１５に記載の表示装置において、
前記変更部は、前記１つの区画において前記複数の動画を再生する際に、各々の動画の再生時間を、前記鑑賞者の情報に基づき決定する表示装置。
【請求項１７】
表示部に画像を表示する表示ステップと、
前記表示部を鑑賞する鑑賞者の情報に基づき、第１の表示態様から第２の表示態様に、前記表示部に表示された表示態様を変更する変更ステップと、
をコンピュータに実行させ、
前記第１の表示態様は、第１の複数の区画と第１の複数の画像とからなる表示態様であり、
前記第２の表示態様は、第２の複数の区画と第２の複数の画像とから成る表示態様であり、
前記第２の複数の区画は、前記第１の複数の区画とは少なくとも１つの区画が異なる複数の区画であり、
前記第２の複数の画像の少なくとも１つの画像の内容は、前記第１の複数の画像の内容とは異なる表示プログラム。
【発明の詳細な説明】
【技術分野】
【０００１】
本発明は、表示装置および表示プログラムに関する。
【背景技術】
【０００２】
従来、１つの画面を複数の画面領域に分割することで、複数の画像を１つの画面にレイアウトして表示する画像表示システムが知られている（例えば特許文献１）。しかし、従来技術には、レイアウトの変更に煩雑な操作を伴うという課題がある。
【先行技術文献】
【特許文献】
【０００３】
【特許文献１】特開２０１０−２７８８２４号公報
【発明の概要】
【０００４】
本発明の第１の態様によると、表示装置は、画像を表示する表示部と、前記表示部を鑑賞する鑑賞者の情報に基づき、第１の表示態様から第２の表示態様に、前記表示部に表示された表示態様を変更する変更部と、を備え、前記第１の表示態様は、第１の複数の区画と第１の複数の画像とからなる表示態様であり、前記第２の表示態様は、第２の複数の区画と第２の複数の画像とから成る表示態様であり、前記第２の複数の区画は、前記第１の複数の区画とは少なくとも１つの区画が異なる複数の区画であり、前記第２の複数の画像の少なくとも１つの画像の内容は、前記第１の複数の画像の内容とは異なる。
本発明の第２の態様によると、表示プログラムは、表示部に画像を表示する表示ステップと、前記表示部を鑑賞する鑑賞者の情報に基づき、第１の表示態様から第２の表示態様に、前記表示部に表示された表示態様を変更する変更ステップと、をコンピュータに実行させ、前記第１の表示態様は、第１の複数の区画と第１の複数の画像とからなる表示態様であり、前記第２の表示態様は、第２の複数の区画と第２の複数の画像とから成る表示態様であり、前記第２の複数の区画は、前記第１の複数の区画とは少なくとも１つの区画が異なる複数の区画であり、前記第２の複数の画像の少なくとも１つの画像の内容は、前記第１の複数の画像の内容とは異なる。
【図面の簡単な説明】
【０００５】
【図１】第１の実施の形態に係る画像再生システムの構成を示すブロック図である。
【図２】記憶装置３０に記憶されているデータの模式図である。
【図３】携帯機器７の構成を模式的に示すブロック図である。
【図４】携帯機器７の外観を示す模式図である。
【図５】スケジュールデータ７２０の構造を示す模式図である。
【図６】電子アルバム再生時の表示画面を例示する図である。
【図７】再生処理のフローチャートである。
【図８】記憶装置３０に記憶されているデータの模式図である。
【図９】携帯機器７の構成を模式的に示すブロック図である。
【図１０】電子アルバム再生時の表示画面を例示する図である。
【図１１】携帯機器７の構成を模式的に示すブロック図である。
【図１２】記憶装置３０に記憶されているデータの模式図である。
【発明を実施するための形態】
【０００６】
（第１の実施の形態）
図１は、第１の実施の形態に係る画像再生システムの構成を示すブロック図である。画像再生システム１は、ネットワーク２、サーバ３、情報端末４、カメラ５ａ、カメラ５ｂ、無線中継局６ａ、無線中継局６ｂ、および携帯機器７を含む。なお、以下の説明では、カメラ５ａとカメラ５ｂをカメラ５と総称する。
【０００７】
画像再生システム１は、カメラ５による撮影画像を携帯機器７で再生するシステムである。ネットワーク２は、例えばインターネット等の広域通信網である。ネットワーク２には、サーバ３、情報端末４、無線中継局６ａ、無線中継局６ｂが接続されている。情報端末４は、例えばパソコン等の情報端末である。カメラ５ａは、情報端末４およびネットワーク２を介して、サーバ３に画像データを送信することができる。
【０００８】
無線中継局６ａおよび無線中継局６ｂは、カメラ５ｂや携帯機器７との間で、例えば無線ＬＡＮ等の無線通信を行う。カメラ５ｂは、無線中継局６ａおよびネットワーク２を介して、サーバ３に画像データを送信することができる。携帯機器７は、無線中継局６ｂおよびネットワーク２を介して、サーバ３から画像データを受信することができる。
【０００９】
サーバ３は、記憶装置３０を有する。記憶装置３０は、例えばＨＤＤ等の記憶装置である。サーバ３は、カメラ５ａおよびカメラ５ｂから受信した画像データを記憶装置３０に記憶する。サーバ３は、記憶装置３０に記憶されている種々のデータを、必要に応じて携帯機器７に送信する。
【００１０】
図２は、記憶装置３０に記憶されているデータの模式図である。記憶装置３０は、複数の画像データ３１および複数の電子アルバムデータ３２を記憶している。画像データ３１は、カメラ５によって作成された、例えばＪＰＥＧ形式の画像ファイルである。本実施の形態において、画像データ３１は、静止画を記録した画像ファイルである。
【００１１】
電子アルバムデータ３２は、電子アルバムを表現するデータである。電子アルバムデータ３２は、複数の画像データ３１が関連付けられたデータである。ユーザは、例えば情報端末４を操作することにより、電子アルバムデータ３２の作成および編集を行うことができる。ユーザは、複数の画像データ３１を適宜選択し、選択した画像データ３１が関連付けられた電子アルバムデータ３２を作成する。以下の説明では、電子アルバムデータ３２に関連付けられた画像データ３１を、その電子アルバムデータ３２に含まれる画像データ３１と呼ぶ。
【００１２】
図３は、携帯機器７の構成を模式的に示すブロック図である。携帯機器７は、いわゆるタブレット型の情報端末である。携帯機器７は、制御部７０、ＤＲＡＭ７１、フラッシュメモリ７２、液晶ディスプレイ７３、タッチパネル７４、および無線通信モジュール７５を備える。
【００１３】
制御部７０は、不図示のマイクロプロセッサおよびその周辺回路から構成される。制御部７０は、フラッシュメモリ７２に予め記録されている所定の制御プログラムを読み込んで実行することにより、携帯機器７の各部を制御する。ＤＲＡＭ７１は主記憶装置である。フラッシュメモリ７２は補助記憶装置である。液晶ディスプレイ７３は表示装置である。タッチパネル７４は、液晶ディスプレイ７３に積層された入力装置である。無線通信モジュール７５は、無線中継局６ｂとの間で無線によるデータ通信を行う通信モジュールである。制御部７０は、無線通信モジュール７５を介して、ネットワーク２に接続されたサーバ３等のノードとデータ通信を行うことができる。
【００１４】
フラッシュメモリ７２には、上述した制御プログラム等に加えて、スケジュールデータ７２０が記憶されている。スケジュールデータ７２０は、携帯機器７を利用するユーザのスケジュールに関するデータである。携帯機器７のユーザは、いわゆるスケジューラプログラムを用いて、スケジュールデータ７２０の表示や編集を行うことができる。
【００１５】
図４は、携帯機器７の外観を示す模式図である。携帯機器７は板状の筐体を有している。筐体の一面には、液晶ディスプレイ７３が設けられている。液晶ディスプレイ７３にはタッチパネル７４が積層されている。ユーザが手指等を液晶ディスプレイ７３の表示画面に接触させると、タッチパネル７４は、表示画面における接触位置を検出する。以下の説明では、ユーザが手指等を液晶ディスプレイ７３の表示画面に接触させて行う種々の操作をタッチ操作と称する。
【００１６】
図５は、スケジュールデータ７２０の構造を示す模式図である。スケジュールデータ７２０は、日付７２０１、時間帯７２０２、および予定内容７２０３の組を複数有し、その他にも場所や移動手段の情報なども記録していてもよい。個々の組は、ユーザの予定１つを示している。例えば、図５に例示する予定７２０ａは、１０月１５日の１０時から１１時までの期間、ユーザに「ミーティングＡ」という予定が存在することを示している。携帯機器７は、例えばスケジュールデータ７２０に基づきカレンダーと共にユーザの予定を表示する、いわゆるスケジュールプログラムを実行することができる。ユーザは、このようなプログラムを操作して、スケジュールデータ７２０を編集することができる。このようなプログラムは周知であり説明を省略する。
【００１７】
携帯機器７は、記憶装置３０に記憶されている電子アルバムデータ３２に基づき、電子アルバムを再生することができる。携帯機器７のユーザは、携帯機器７に対して、記憶装置３０に記憶されている電子アルバムデータ３２から再生したい電子アルバムデータ３２を特定する指示を入力する。携帯機器７は、特定された電子アルバムデータ３２をサーバ３から受信して電子アルバムの再生処理を実行する。以下、電子アルバムの再生処理を説明する。
【００１８】
図６（ａ）は、電子アルバム再生時の表示画面７３ａを例示する図であり、図６（ｂ）は、図６（ａ）の表示画面７３ａとは異なる表示画面７３ｂを例示する図である。図６（ａ）の表示画面７３ａは、タイル状に、第１区画１００ａ、第２区画１００ｂ、第３区画１００ｃ、および第４区画１００ｄに区切られている。以下の説明では、第１区画１００ａ、第２区画１００ｂ、第３区画１００ｃ、および第４区画１００ｄ等の区画を区画１００と総称する。各々の区画１００は、長方形の形状を有しており、そのサイズおよび位置は様々である。なお、区画１００の形状は長方形に限らず、正方形やひし形などの形状でもよい。
【００１９】
図６（ｂ）の表示画面７３ｂは、図６（ａ）に例示した表示画面７３ａに、更に、第５区画１００ｅおよび第６区画１００ｆを追加した構成を有している。制御部７０は、第１区画１００ａ以外の既存の区画１００である第２区画１００ｂ、第３区画１００ｃ、および第４区画１００ｄを縮小して、第５区画１００ｅおよび第６区画１００ｆの表示領域を確保する。つまり制御部７０は、図６（ａ）に例示した表示画面７３ａと図６（ｂ）に例示した表示画面７３ｂとで、複数の区画１００の個数、形状、位置、およびサイズを異ならせている。
【００２０】
制御部７０は、電子アルバムの再生処理において、図６（ａ）に例示した表示画面７３ａと、図６（ｂ）に例示した表示画面７３ｂとを、スケジュールデータ７２０に基づき使い分ける。以下、スケジュールデータ７２０に基づく表示画面の選択方法について説明する。
【００２１】
ここでユーザとは、画像を鑑賞する人のことであり、画像の撮影者、画像の編集者及び鑑賞のみを行う人のいずれをも含む。
また、鑑賞者の識別は、表示装置が鑑賞者を確認するための撮像装置による顔認証や指紋認証、音声認証などのセンサを備えていて鑑賞者が誰であるのかを特定することが可能である。
制御部７０は、電子アルバムの再生に際し、スケジュールデータ７２０を読み出し、鑑賞しているユーザ（以下、鑑賞者と称する）の本日のスケジュールを調べる。ここで、鑑賞者のスケジュールの読み出す方法としては、例えばクラウドに保存されている鑑賞者のスケジュールデータを無線通信により取得する方法がある。他にも、表示装置と連携したデバイス（例えばスケジュール管理のソフトを備えたスマートフォン等の携帯機器）に鑑賞者のスケジュールが保存されており、表示装置の制御部が鑑賞者を上記方法で特定したら、連携したデバイスから鑑賞者のスケジュールを読み出してもよい。制御部７０は、スケジュールデータ７２０から、日付７２０１（図４）が本日の日付と一致するスケジュールを抽出する。制御部７０は、０時から２４時までの時間帯のうち、抽出したスケジュールの時間帯７２０２に含まれていない時間帯、すなわち予定が組まれていない時間帯（空き時間帯）を算出する。制御部７０は、空き時間帯の長さが一定時間未満である場合には、図６（ｂ）に例示した表示画面７３ｂを用いて電子アルバムを再生する。他方、制御部７０は、空き時間帯の長さが一定時間以上である場合には、図６（ａ）に例示した表示画面７３ａを用いて電子アルバムを再生する。つまり制御部７０は、スケジュールが所定程度以上に過密である場合には、スケジュールが所定程度以上に過密でない場合よりも複数の区画１００の個数を増やす。
【００２２】
制御部７０は、図６（ａ）の表示画面７３ａを用いて電子アルバムを再生する場合、再生対象の電子アルバムデータ３２に含まれる画像データ３１から、４つの画像データ３１ａ，３１ｂ，３１ｃ，３１ｄを選択し、第１区画１００ａ、第２区画１００ｂ、第３区画１００ｃ、および第４区画１００ｄにそれぞれ表示する。なお、画像データ３１ａ〜３１ｄのサイズや縦横比は、表示対象の区画１００のサイズや縦横比と必ずしも一致しない。制御部７０は、画像データ３１ａ〜３１ｄを区画１００に収まるように適宜加工して表示する。例えば、画像データ３１ａを第１区画１００ａに表示するに際し、画像データ３１ａを拡大または縮小したり、画像データ３１ａの一部を切り出したり、画像データ３１ａの周囲に余白を設けて縦横比を調節したりする。
【００２３】
鑑賞者は、例えばタッチパネル７４に対するタッチ操作や不図示の操作部材への操作により、ページ送りやページ戻し等のページ移動操作を行うことが可能である。鑑賞者がページ移動操作を行うと、制御部７０は、複数の区画１００の表示態様をそのままに、各区画１００ａ〜１００ｄに表示する画像データ３１ａ〜３１ｄを他の画像データ３１に切り替えてもよい。
また、表示画面のページ切替は鑑賞者のページ移動操作による方法の他に、例えば表示装置が鑑賞者を識別するセンサ（例えば顔認証を行う撮像装置）を備えており、鑑賞者を特定してから一定時間（例えば５秒）後に自動でページを切り替えてよい。または、鑑賞者の音声指示や、表示されている複数の画像から鑑賞者が１つを選択する操作によりページを切り替えてもよい。
【００２４】
なお、ページ移動操作によって、電子アルバムに含まれる全ての画像データ３１を必ずしも鑑賞可能にしなくてもよい。また、所定の優先順位に基づき、ページ移動操作によって新たに表示される画像データ３１を決定してもよい。例えば被写体抽出、縦横構図などによる、既存の画像判定技術によって、電子アルバムに含まれる多数の画像データ３１について優先順位を決めることができる。
【００２５】
制御部７０は、図６（ｂ）の表示画面７３ｂを用いて電子アルバムを再生する場合、再生対象の電子アルバムデータ３２に含まれる画像データ３１から、６つの画像データ３１ａ，３１ｂ，３１ｃ，３１ｄ，３１ｅ，３１ｆを選択し、第１区画１００ａ、第２区画１００ｂ、第３区画１００ｃ、第４区画１００ｄ、第５区画１００ｅ、および第６区画１００ｆにそれぞれ表示する。図６（ａ）に例示した表示画面７３ａと比べて、１つのページにより多くの画像データ３１を表示することができるので、空き時間帯の少ない、忙しい鑑賞者にとって、よりスピーディーで好ましい再生処理を提供することができる。
【００２６】
なお、以上の説明では、図６（ａ）の表示画面７３ａと、図６（ｂ）の表示画面７３ｂとを例示したが、より多くの表示画面を空き時間帯の長さに応じて切り替えてもよい。例えば、互いに区画１００の個数が異なる１０種類の表示画面を用意し、空き時間帯の長さを１０段階に分けて１０種類の表示画面を切り替えるようにしてもよい。
【００２７】
図７は、再生処理のフローチャートである。ステップＳ１０で、制御部７０に、再生対象となる電子アルバムデータ３２を特定する指示が入力される。鑑賞者は、電子アルバムデータ３２を特定するために、例えば電子アルバムの名称やＵＲＬ等を、タッチパネル７４等の入力装置により入力する。ステップＳ２０で、制御部７０は、再生対象の電子アルバムデータ３２をサーバ３から受信する。
【００２８】
ステップＳ３０で、制御部７０は、スケジュールデータ７２０を読み出して、鑑賞者の本日のスケジュールを集計し、本日の鑑賞者の空き時間帯を算出する。ステップＳ４０で、制御部７０は、空き時間帯の長さが一定時間以上か否かを判定する。空き時間帯が一定時間以上の長さである場合、制御部７０は処理をステップＳ５０に進める。ステップＳ５０で、制御部７０は、図６（ａ）に例示した、より区画１００の個数がより少ない表示画面７３ａを選択し、処理をステップＳ７０に進める。他方、ステップＳ４０において空き時間帯が一定時間未満の長さである場合、制御部７０は処理をステップＳ６０に進める。ステップＳ６０で、制御部７０は、図６（ｂ）に例示した、より区画１００の個数がより多い表示画面７３ｂを選択し、処理をステップＳ７０に進める。
【００２９】
ステップＳ７０で、制御部７０は、電子アルバムデータ３２に含まれる画像データ３１から、表示画面に表示する４つまたは６つの画像データ３１を選択する。ステップＳ８０で、制御部７０は、ステップＳ７０で選択した４つまたは６つの画像データ３１を、図６（ａ）に例示した４つの区画１００ａ〜１００ｄ、または図６（ｂ）に例示した６つの区画１００ａ〜１００ｆにそれぞれ表示する。
【００３０】
ステップＳ９０で、制御部７０は、所定のページ移動操作が入力されたか否かを判定する。ページ移動操作が入力されていなかった場合、制御部７０は処理をステップＳ１２０に進める。他方、ページ移動操作が入力されていた場合、制御部７０は処理をステップＳ１００に進める。
【００３１】
ステップＳ１００で、制御部７０は、現在選択されている画像データ３１とは異なる画像データ３１を選択する。ステップＳ１１０で、制御部７０は、選択したそれらの画像データ３１が区画１００に表示されるよう、画面表示を更新する。ステップＳ１２０で、制御部７０は、所定の再生終了操作が為されたか否かを判定する。再生終了操作が為されていない場合、制御部７０は、処理をステップＳ９０に進める。再生終了操作が為されていた場合、制御部７０は、電子アルバムの再生処理を終了する。
【００３２】
上述した実施の形態によれば、次の作用効果が得られる。
（１）制御部７０は、表示画面に設けられた、鑑賞するユーザの属性に関するユーザ情報の一種であるスケジュールデータ７２０に基づく表示態様を有する複数の区画１００に、選択された複数の画像データ３１をそれぞれ表示する。このようにしたので、煩雑な操作なしで最適な画面が表示される、使い勝手のよい表示装置を提供することができる。
【００３３】
（２）制御部７０は、ユーザ情報に基づき複数の区画１００の個数、形状、位置、およびサイズを決定する。このようにしたので、ユーザに応じた最適な表示態様で電子アルバムを再生することができる。
【００３４】
（３）ユーザ情報とは、ユーザの少なくとも鑑賞当日のスケジュールに関するスケジュールデータ７２０である。このようにしたので、ユーザのスケジュールに合わせた最適な表示態様で電子アルバムを再生することができる。
【００３５】
（４）制御部７０は、スケジュールが所定程度以上に過密である場合には、スケジュールが所定程度以上に過密でない場合よりも複数の区画１００の個数を増やす。このようにしたので、忙しいユーザに対してより一覧性の高い表示画面７３ｂを提供すると共に、比較的時間に余裕のあるユーザに対しては個々の画像をより大きく表示できる表示画面７３ａを提供することができる。
【００３６】
なお、以上の説明では、空き時間の少ない、忙しい鑑賞者に対して、スピーディーにより多くの画像を鑑賞してもらうことを目的として、表示画面７３の１つの表示画面により多くの画像データ３１を表示する方法を例示したが、鑑賞者の中には表示画面７３に表示される画像データ３１の表示サイズが所定の大きさ以上であることを望む人もいる。そのような場合には、表示画面７３に表示する画像データ３１の表示サイズは鑑賞者の要望する表示サイズで表示してもよい。
また、忙しい鑑賞者に対して、表示画面７３により多くの画像データ３１を表示する方法の他に、画像データをあるガテゴリ毎に関連付け（例えば旅行、運動会、風景など）、複数のカテゴリ毎の代表となる画像データを表示画面に表示してもよい。このように表示することで、忙しい鑑賞者が見たい画像により簡単にたどりつけることが可能となる。
なお、以上の説明では、鑑賞者のスケジュールに基づいて表示画面７３に表示する画像の区画や画像データ３１を再生するとしているが、その他にも、鑑賞者が画像をじっくりと鑑賞している、すなわち時間に余裕があると判断することも可能である。逆に、鑑賞者が画像を鑑賞している時間が短いと、鑑賞者は時間がなく急いでいると判断することが可能である。この鑑賞者が画像をどれくらいの時間鑑賞しているのかということは、鑑賞者の視線検出から確認することができる。
【００３７】
（第２の実施の形態）
第２の実施の形態に係る画像再生システムは、第１の実施の形態で説明したスケジュールデータ７２０とは異なるユーザ情報（ユーザの嗜好に関する情報）に基づき、区画１００の表示態様を決定する。以下、第２の実施の形態に係る画像再生システムと、第１の実施の形態に係る画像再生システムとの相違点について、図８〜１０を参照して説明する。なお、第１の実施の形態と同一の箇所については、第１の実施の形態と同一の符号を付して説明を省略する。
【００３８】
図８は、記憶装置３０に記憶されているデータの模式図である。第２の実施の形態の画像データ３１には、画像の内容によって分類される１つ以上のカテゴリデータ３３が関連付けられている。カテゴリデータ３３は、画像データ３１に関連し、画像の内容によって分類される１つ以上のカテゴリを示すデータである。画像の内容とは、画像の被写体、構図、画像処理などを指す。例えば、被写体の属性に関する「自動車」、「山」、「動物」等のカテゴリ、撮影時期（季節や時間帯など）に関する「春」、「夜」等のカテゴリ、撮影場所に関する「市街地」、「日本」、「東京」等のカテゴリ、撮影構図に関する「風景」、「ポートレート」等のカテゴリが存在する。また構図は、例えばポートレート撮影の場合に、被写体となる人物が中心にいるのか、もしくは人物が端にいるのか、人物が全身写っているのか、人物の顔がアップで映っているのか、とカテゴリに分類される。なお、１つの亜画像からトリミングされて拡大表示された画像は、もとの画像とは構図が異なる画像としてカテゴリに分類される。また、撮影された画像に対してなされた画像処理のうち、例えばモノクロ加工や階調補正などもそれぞれ異なるカテゴリに分類される。これらのカテゴリは一例であり、その他、画像データ３１に関する種々の項目が、カテゴリデータ３３により示されるカテゴリになり得る。以下の説明では、何らかのカテゴリを示すカテゴリデータ３３に関連付けられた画像データ３１を、そのカテゴリに属する画像データ３１と呼ぶ。
【００３９】
図９は、携帯機器７の構成を模式的に示すブロック図である。第２の実施の形態に係る携帯機器７のフラッシュメモリ７２には、嗜好データ７２１が記憶されている。嗜好データ７２１は、携帯機器７を利用するユーザ（鑑賞者）の嗜好に関するデータである。第２の実施の形態では、嗜好データ７２１は、鑑賞者の画面レイアウトに対する嗜好と、画像データ３１のカテゴリに対する嗜好とを示している。画面レイアウトに対する嗜好とは、例えば「区画１００の個数は４つを最も好む」や「区画１００のサイズを１００画素×８０画素以下にすることは好まない」等の形で示される。画像データ３１のカテゴリに対する嗜好とは、例えば「自動車のカテゴリに属する画像データ３１を最も好む」や「夜のカテゴリに属する画像データは好まない」等の形で示される。
【００４０】
なお、嗜好データ７２１は、鑑賞者が自身の嗜好を直接入力して作成されてもよいし、それ以外の方法で作成されてもよい。例えば、何らかの画面レイアウトで表示された表示画面に対し、鑑賞者がその画面レイアウトの好き嫌いを入力すると、入力した内容が嗜好データ７２１に反映されるようにしてもよい。また、電子アルバムの再生とは全く異なる別のプログラム等で入力した画面レイアウトやカテゴリの好き嫌いが嗜好データ７２１に反映されるようにしてもよい。
【００４１】
制御部７０は、電子アルバムの再生時、画面に表示される複数の区画１００の表示態様や、表示される画像データ３１を、嗜好データ７２１により示される鑑賞者の嗜好に基づき決定する。以下、この点について詳述する。
【００４２】
図１０（ａ）は、電子アルバム再生時の表示画面７３ｃを例示する図である。表示画面７３ｃは、タイル状に、第１区画１００ａ、第２区画１００ｂ、第３区画１００ｃ、第４区画１００ｄ、第５区画１００ｅ、および第６区画１００ｆに区切られている。嗜好データ７２１に鑑賞者の嗜好が特に示されていない場合、制御部７０は、第１区画１００ａ〜第６区画１００ｆに、それぞれ、画像データＡ１、Ｂ１、Ｃ１、Ｄ１、Ｅ１、Ｆ１を表示する。なお、以下では説明を省略するが、ページ移動操作は第１の実施の形態と同様に行うことができる。
【００４３】
画像データＡ１〜Ｆ１は、それぞれ、互いに異なるカテゴリＡ，Ｂ，Ｃ，Ｄ，Ｅ，Ｆに属している。つまり制御部７０は、１つの表示画面７３ｃに、互いに異なるカテゴリＡ〜Ｆに属する６種類の画像データＡ１〜Ｆ１を表示する。
【００４４】
図１０（ｂ）は、カテゴリに関する鑑賞者の嗜好を反映した表示画面７３ｄを例示する図である。例えば嗜好データ７２１により、鑑賞者がカテゴリＡをより好み、カテゴリＤをより好まないことが示されていたとする。この場合、制御部７０は、カテゴリＡに属する画像データ３１をより多く表示し、カテゴリＤに属する画像データ３１をより少なく表示する。図１０（ａ）と図１０（ｂ）を比較すると、カテゴリＤに属する画像データＤ１が表示されなくなっている。また、カテゴリＡに属する画像データＡ１に加えて、更に、カテゴリＡに属する画像データＡ２，Ａ３が表示されている。なお、図１０（ｂ）では、カテゴリＣに属する画像データＣ１も表示されなくなっている。これは、カテゴリＡに属する画像データＡ２，Ａ３を優先的に表示するための処置である。
【００４５】
図１０（ｃ）は、画面レイアウトに関する鑑賞者の嗜好を反映した表示画面７３ｅを例示する図である。例えば嗜好データ７２１により、鑑賞者が区画１００を４つ表示した画面を好むことが示されていたとする。この場合、制御部７０は、画面に表示される区画１００の数を４つにする。図１０（ａ）と図１０（ｃ）とを比較すると、第５区画１００ｅおよび第６区画１００ｆが画面から取り除かれ、結果として、画面には第１区画１００ａ〜第４区画１００ｄの計４つの区画１００が表示されるようになっている。
【００４６】
上述した実施の形態によれば、次の作用効果が得られる。
（５）制御部７０は、表示画面に設けられた、鑑賞するユーザの属性に関するユーザ情報である嗜好データ７２１に基づく表示態様を有する複数の区画１００に、選択された複数の画像データ３１をそれぞれ表示する。このようにしたので、煩雑な操作なしで最適な画面が表示される、使い勝手のよい表示装置を提供することができる。
【００４７】
（６）制御部７０は、ユーザ情報に基づき複数の区画１００の個数、形状、位置、およびサイズを決定する。このようにしたので、ユーザに応じた最適な表示態様で電子アルバムを再生することができる。
【００４８】
（７）ユーザ情報とは、区画１００の表示態様に対するユーザの嗜好を含む嗜好データ７２１である。このようにしたので、ユーザの嗜好に合わせた最適な表示態様で電子アルバムを再生することができる。
【００４９】
（第３の実施の形態）
第３の実施の形態に係る画像再生システムは、第１の実施の形態で説明したスケジュールデータ７２０とは異なるユーザ情報（ユーザの視力に関する情報）と、液晶ディスプレイ７３の表示性能とに基づき、区画１００の表示態様を決定する。以下、第３の実施の形態に係る画像再生システムと、第１の実施の形態に係る画像再生システムとの相違点について、図１１を参照して説明する。なお、第１の実施の形態と同一の箇所については、第１の実施の形態と同一の符号を付して説明を省略する。
【００５０】
図１１は、携帯機器７の構成を模式的に示すブロック図である。第３の実施の形態に係る携帯機器７は、第１の実施の形態に係る携帯機器７と同様の各部に加えて、更に、撮像部７６を有している。撮像部７６は、液晶ディスプレイ７３の表示面が設けられた面に設けられる。撮像部７６は、例えば撮像光学系と撮像素子とを有し、携帯機器７を利用しているユーザ（鑑賞者）の顔を少なくとも撮像可能に構成されている。
【００５１】
第３の実施の形態に係る携帯機器７のフラッシュメモリ７２には、視力データ７２２および表示性能データ７２３が記憶されている。視力データ７２２は、携帯機器７を利用するユーザ（鑑賞者）の視力に関するデータである。制御部７０は、撮像部７６により撮像された鑑賞者の顔の画像に基づき、鑑賞者の視力を推定する。例えば、鑑賞者の顔の画像から所定の特徴量を検出して鑑賞者の年齢を推定し、年齢毎に予め定められた視力を、鑑賞者の視力と推定する。なお、これとは異なる方法で鑑賞者の視力を検出してもよい。また、鑑賞者が自身の視力を直接入力したデータを視力データ７２２としてもよい。表示性能データ７２３は、液晶ディスプレイ７３の表示性能に関するデータである。液晶ディスプレイ７３の表示性能とは、液晶ディスプレイ７３の画面サイズおよび表示画素数（解像度）である。
【００５２】
制御部７０は、電子アルバムの再生時、画面に表示される複数の区画１００の表示態様を、視力データ７２２および表示性能データ７２３に基づき決定する。具体的には、鑑賞者の視力が高いほど、画面に表示される区画１００の数を多くし、区画１００のサイズを小さくする（例えば図６（ａ）の表示画面７３ａ）。逆に、鑑賞者の視力が低いほど、画面に表示される区画１００の数を少なくし、区画１００のサイズを大きくする（例えば図６（ｂ）の表示画面７３ｂ）。制御部７０は、液晶ディスプレイ７３のサイズが大きいほど、画面に表示される区画１００の数を多くし、サイズが小さいほど、画面に表示される区画１００の数を少なくする。制御部７０は、液晶ディスプレイ７３の表示画素数が多いほど、画面に表示される区画１００の数を少なくし、表示画素数が少ないほど、画面に表示される区画１００の数を多くする。
【００５３】
上述した実施の形態によれば、次の作用効果が得られる。
（８）制御部７０は、表示画面に設けられた、鑑賞するユーザの属性に関するユーザ情報である視力データ７２２に基づく表示態様を有する複数の区画１００に、選択された複数の画像データ３１をそれぞれ表示する。このようにしたので、煩雑な操作なしで最適な画面が表示される、使い勝手のよい表示装置を提供することができる。
【００５４】
（９）制御部７０は、ユーザ情報に基づき複数の区画１００の個数、形状、位置、およびサイズを決定する。このようにしたので、ユーザに応じた最適な表示態様で電子アルバムを再生することができる。
【００５５】
（１０）ユーザ情報とは、ユーザの視力に関する視力データ７２２である。このようにしたので、ユーザの視力に合わせた最適な表示態様で電子アルバムを再生することができる。
【００５６】
（１１）制御部７０は、ユーザの視力が所定度数以上である場合には、視力が所定度数以上でない場合よりも複数の区画１００の個数を増やす。このようにしたので、ユーザの視力に合わせた最適な表示態様で電子アルバムを再生することができる。
【００５７】
（１２）制御部７０は、ユーザの顔の少なくとも一部を撮像部７６により撮像した結果に基づき、視力に関する情報を検出するよう制御する。このようにしたので、ユーザが自分で視力に関する情報を入力する必要がなく、使い勝手のよい画像再生システムを提供することができる。
【００５８】
（１３）制御部７０は、ユーザ情報に加えて、表示画面のサイズおよび解像度（表示画素数）に基づき、区画１００の表示態様を決定する。このようにしたので、携帯機器７の表示性能をも考慮して画像データ３１を表示する、より使い勝手のよい画像再生システムを提供することができる。
【００５９】
（第４の実施の形態）
第４の実施の形態に係る画像再生システムは、鑑賞するユーザと画像データ３１との関係に基づき、区画１００の表示態様を決定する。以下、第４の実施の形態に係る画像再生システムと、第１の実施の形態に係る画像再生システムとの相違点について、図１２を参照して説明する。なお、第１の実施の形態と同一の箇所については、第１の実施の形態と同一の符号を付して説明を省略する。
【００６０】
図１２は、記憶装置３０に記憶されているデータの模式図である。第４の実施の形態の画像データ３１には、関連ユーザデータ３４が関連付けられている。関連ユーザデータ３４は、その画像データ３１に関連する１人以上のユーザを示す情報である。例えば、ユーザＸの旅行において、特定時間帯にユーザＹが同行していた場合、その旅行の特定時間帯に撮影された画像データ３１には、ユーザＸとユーザＹとを示す関連ユーザデータ３４が関連付けられる。
【００６１】
電子アルバムに含まれる画像データ３１に、鑑賞者を示す関連ユーザデータ３４が関連付けられたものが含まれる場合、制御部７０はその画像データ３１（関連画像データ）を優先的に再生する。例えば、その画像データ３１のみを再生し、他の画像データ３１（非関連画像データ）を再生しない。他方、電子アルバムに含まれる画像データ３１に、鑑賞者を示す関連ユーザデータ３４が関連付けられたものが含まれていない場合、制御部７０は電子アルバムの作成者以外のユーザを示す関連ユーザデータ３４が関連付けられていない画像データ３１（非関連画像データ）を優先的に再生する。例えば、そのような画像データ３１のみを再生し、電子アルバムの作成者以外のユーザを示す関連ユーザデータ３４が関連付けられた画像データ３１を再生しない。
【００６２】
上述した実施の形態によれば、次の作用効果が得られる。
（１４）複数の画像データ３１は、ユーザに関連する関連画像データと、ユーザに関連しない非関連画像データ３１とを含み、制御部７０は、ユーザにより鑑賞される際には、関連画像データに基づく表示態様の複数の区画１００を設ける。このようにしたので、煩雑な操作なしで最適な画面が表示される、使い勝手のよい表示装置を提供することができる。
【００６３】
（１５）制御部７０は、ユーザにより鑑賞される際には、複数の画像データ３１のうちの関連画像データを複数の区画１００に表示し、異なるユーザにより鑑賞される際には、複数の画像データ３１のうちの非関連画像データを複数の区画１００に表示する。このようにしたので、鑑賞するユーザごとに最適な画像データ３１を表示することができる。
【００６４】
次のような変形も本発明の範囲内であり、変形例の一つ、もしくは複数を上述の実施形態と組み合わせることも可能である。
【００６５】
（変形例１）
画像データ３１は、静止画でなく動画であってもよい。この場合、１つの区画１００に対して、複数の画像データ３１（動画）を割り当ててもよい。制御部７０は、その区画１００において、割り当てられた複数の画像データ３１（動画）を順に再生する。つまり、複数の画像データ３１（動画）を、１つの区画１００において時分割的に再生する。
【００６６】
また、複数の動画の全てを１つの区画１００において再生するのではなく、各々の動画の一部を抜き出して再生してもよい。例えば、４つの動画を１つの区画１００に割り当てる場合において、各々の動画の再生時間を１分に限定することができる。更に、複数の動画の再生時間を一律に定めるのではなく、上述した種々のユーザ情報に基づき各々の動画の再生時間を決定してもよい。例えば、よりユーザが好むカテゴリに属する動画については、他の動画よりも長い再生時間を割り当てることができる。
【００６７】
（変形例２）
上述した各実施の形態では、タッチパネル７４を用いたタッチ操作により携帯機器７を操作する例について説明した。つまり、鑑賞者による指示は、全てタッチパネル７４を用いたタッチ操作により制御部７０に入力されていた。これを、他の操作部材（例えばメカニカルスイッチ等）を用いた操作で置き換えてもよい。
【００６８】
また、種々のセンサにより検出された鑑賞者の所定動作で置き換えることも可能である。例えば、鑑賞者の視線を撮像装置により検出し、視線の変化を鑑賞者による指示とすることができる。別の例としては、赤外線センサ等により鑑賞者の手の動きを検出し、所定の手の動きを指示とすることもできる。また、マイクロフォンで鑑賞者の音声を検出し、所定の音声を指示とすることも可能である。
【００６９】
（変形例３）
上述した各実施の形態において、携帯機器７はタブレット端末やスマートフォンなどのモバイル端末であったが、これを他の形態の端末としてもよい。例えば、いわゆる設置型のパーソナルコンピュータや大画面モニタなど表示画面を備えた表示機器であればよい。各実施の形態の携帯機器７やその他の表示機器が、画面サイズの異なる種々の端末である場合、画面サイズに応じて区画１００の個数を変化させることもできる。
【００７０】
（変形例４）
以上で説明した操作方法および表示方法は一例であり、異なる操作方法や表示方法を採用してもよい。例えば、上述した各実施の形態では、複数の区画１００が表示画面全体を覆っていた。これを、各々の区画１００の間に、隙間が設けられるようにしてもよい。つまり、複数の区画１００は必ずしも表示画面全体に隙間なく敷き詰められていなくてもよい。表示方法に関する他の例としては、液晶ディスプレイ７３の代わりに、国際公開ＷＯ２０１３／０７７３３８号公報に記載されているような、空中に立体像を表示する表示装置を採用することができる。
【００７１】
（変形例５）
電子アルバムデータ３２には、その電子アルバムに含まれる画像データ３１を特定する情報だけでなく、それらの画像データ３１のレイアウトを示す情報を含めてもよい。この場合、電子アルバムの作成者は、再生時の画面レイアウト（複数の区画１００の表示態様）も含めた形で電子アルバムを作成する。このとき、制御部７０は、電子アルバムの作成者が設定した画面レイアウトをできるだけ尊重して電子アルバムの再生を行うことが望ましい。例えば、ユーザ情報に基づき区画１００の個数を増やす場合に、特定の区画１００を分割するような形で区画１００を増やし、多数の区画１００のサイズや位置が変化するような形では区画１００を増やさない。
【００７２】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００７３】
１…画像再生システム、２…ネットワーク、３…サーバ、４…情報端末、５、５ａ、５ｂ…カメラ、６ａ、６ｂ…無線中継局、７…携帯機器、３０…記憶装置、７０…制御部
【図１】
2017102618.tif 000003
【図２】
2017102618.tif 000004
【図３】
2017102618.tif 000005
【図４】
2017102618.tif 000006
【図５】
2017102618.tif 000007
【図６】
2017102618.tif 000008
【図７】
2017102618.tif 000009
【図８】
2017102618.tif 000010
【図９】
2017102618.tif 000011
【図１０】
2017102618.tif 000012
【図１１】
2017102618.tif 000013
【図１２】
2017102618.tif 000014